(57)【要約】【課題】印刷対象の画像に応じて記録を行う必要のない記録ヘッドを印刷可能状態に移行させないことによって、記録ヘッドへの暴露による負担を軽減する。また、記録を行う必要のない記録ヘッドを印刷可能状態に移行させないことによって、印刷指示から印刷開始までに要する時間を短縮する。【解決手段】記録媒体Ｐの記録幅全体の一部の幅部分の印刷を分担する複数のインクジェット記録ヘッドの各々を印刷可能状態と印刷待機状態とに独立に制御可能とし、印刷システムの印刷開始後も、記録を行う必要のないインクジェット記録ヘッドについては印刷待機状態を維持する。記録を行う必要のない記録ヘッドの組については、情報処理装置からの全色の印刷データの転送を省略する。【選択図】図３
2007130939.tif 000002
【特許請求の範囲】
【請求項１】
記録媒体の記録幅全体の一部の幅部分の印刷を分担する複数のインクジェット記録ヘッドを用いて印刷を行う印刷装置を制御する印刷制御方法であって、
個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする印刷制御方法。
【請求項２】
前記複数のインクジェット記録ヘッドの各々は、ライン型インクジェット記録ヘッドであることを特徴とする請求項１記載の印刷制御方法。
【請求項３】
前記複数のインクジェット記録ヘッドを個別にキャッピングするキャッピング機構を備え、前記印刷待機状態では前記キャッピング機構により当該インクジェット記録ヘッドのキャッピングを行うことを特徴とする請求項１または２記載の印刷制御方法。
【請求項４】
インクを吐出する複数の記録ヘッドを用いて印刷する印刷装置と、前記インクジェット記録ヘッド用の印刷データを生成する情報処理装置とを備えた印刷システムにおいて、
前記印刷装置は、個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする印刷システム。
【請求項５】
前記複数のインクジェット記録ヘッドは、記録媒体の記録幅全体の一部の幅部分の印刷を分担して行う複数のライン型インクジェット記録ヘッドであることを特徴とする請求項４記載の印刷システム。
【請求項６】
前記複数のインクジェット記録ヘッドを個別にキャッピングするキャッピング機構を備え、前記印刷待機状態では前記キャッピング機構により当該インクジェット記録ヘッドのキャッピングを行うことを特徴とする請求項４または５記載の印刷システム。
【請求項７】
前記情報処理装置から転送された印刷データに基づいて、記録を行う必要があるか否かを印刷装置側で判断することを特徴とする請求項４記載の印刷システム。
【請求項８】
前記インクジェット記録ヘッドの記録を行う必要があるか否かを前記情報処理装置側で判断し、前記情報処理装置から記録を行う必要のない記録ヘッドの存在を前記印刷装置へ通知するとともに当該記録ヘッドへの印刷データの転送を省略することを特徴とする請求項４記載の印刷システム。
【請求項９】
前記インクジェット記録ヘッドの記録を行う必要があるか否かを前記情報処理装置側で判断し、前記情報処理装置から、記録を行う必要のない記録ヘッドに対する記録抑止命令を前記印刷装置へ転送するとともに当該記録ヘッドへの印刷データの転送を省略することを特徴とする請求項４記載の印刷システム。
【発明の詳細な説明】
【技術分野】
【０００１】
本発明は、記録媒体の記録幅全体の一部の幅部分の印刷を分担する複数のインクジェット記録ヘッドを用いて印刷を行う印刷装置を制御する印刷制御方法および印刷システムに関するものである。
【背景技術】
【０００２】
現在、カラー記録の容易性、高速性、静粛性等の利点から、プリンタ、複写機、ファクシミリ等の画像形成装置では記録媒体に対してインク滴を吐出して画像を形成するインクジェット記録方式を採用したものが広く普及している。
【０００３】
フルカラーの画像を記録するためには、通常、イエロー（Ｙ）、マゼンタ（Ｍ）、シアン（Ｃ）、およびブラック（Ｋ）のインクを吐出するための４つのインクジェット記録ヘッドを備えている。各インクジェット記録ヘッドは、通常、複数のインク吐出口を配列したノズル列を備えている。
【０００４】
インクジェット記録ヘッドにおいて、インク吐出を行わない期間中、インク吐出口を大気に曝露すると、インクが乾燥して増粘し、吐出不良の原因となることが知られている。このようなインクの乾燥を防止するために、従来、記録ヘッドに対して、それらのインク吐出口をキャップで覆うキャッピングが行われている。また、従来のキャッピングは全色について一括して行われる。ノズル列が記録媒体の幅方向に延びたいわゆるラインヘッドを用いる印刷システムにおいても、ラインヘッド全長に亘ってキャッピングが行われている。
【発明の開示】
【発明が解決しようとする課題】
【０００５】
ところで、記録媒体の記録幅全体の一部の幅部分の印刷を分担する複数のインクジェット記録ヘッドを用いて印刷を行う印刷装置が提案されている。ライン型の記録ヘッドを用いる印刷システムでは、記録ヘッドを記録媒体の幅方向に走査するシリアル型のものに比べて、格段にノズル数が多くなる。しかも、各ノズルが記録を担当する位置は記録媒体の幅方向における固定的な位置となるため、印刷対象の画像によっては、１枚の記録媒体の印刷において、複数色一組の全記録ヘッドが全く印刷に関与しないという場合も縷々生じることになる。
【０００６】
その一方で、前述したように従来のキャッピングは同じすべての記録ヘッドに対して一括して行われるため、画像の印刷中は印刷に関与するか否かに関わらずすべてのヘッドの全ノズルが大気に曝される状態におかれる。その結果、全く印刷を行わない記録ヘッドについてもインク吐出口を大気に曝露するため、不必要にインクの乾燥を招くという問題があった。
【０００７】
また、上記のような複数のインクジェット記録ヘッドを用いる印刷装置では、印刷を行う際に印刷のデータに関係なく全ての記録ヘッドが連動し印刷可能状態に移行する。このような印刷システムでは、情報処理装置から複数の記録ヘッドのすべてに印刷データが転送され終わってから印刷動作が開始されるが、印刷対象の画像データに関係なく全てのヘッドに対して順次かつ同様に印刷データが転送されるため、一部の幅部分に全く画像が存在しないような場合にも、印刷開始までに相応の時間を要していた。（印刷データを圧縮して転送する技術を採用すればデータ量が低減されるが、非記録ドット（ＯＦＦドット）のデータも転送されることに変わりない。）
【０００８】
本発明はこのような背景においてなされたものであり、その第１の目的は、印刷対象の画像に応じて記録を行う必要のない記録ヘッドを印刷可能状態に移行させないことによって、記録ヘッドへの暴露による負担を軽減することである。
【０００９】
本出願に係る第２の発明の目的は、記録を行う必要のない記録ヘッドを印刷可能状態に移行させないことによって、印刷指示から印刷開始までに要する時間を短縮することである。
【課題を解決するための手段】
【００１０】
本発明による印刷制御方法は、記録媒体の記録幅全体の一部の幅部分の印刷を分担する複数のインクジェット記録ヘッドを用いて印刷を行う印刷装置を制御する印刷制御方法であって、個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする。
【００１１】
また、本発明による印刷システムは、インクを吐出する複数の記録ヘッドを用いて印刷する印刷装置と、前記インクジェット記録ヘッド用の印刷データを生成する情報処理装置とを備えた印刷システムにおいて、前記印刷装置は、個々のインクジェット記録ヘッドを印刷可能状態と印刷待機状態とに独立に制御可能とし、印刷システムの印刷開始後も、記録を行う必要のないインクジェット記録ヘッドについては印刷待機状態を維持することを特徴とする。
【００１２】
前記複数のインクジェット記録ヘッドとしては、記録媒体の記録幅全体の一部の幅部分の印刷を分担して行う複数のライン型インクジェット記録ヘッドに適用して好適である。
【００１３】
より具体的には、前記複数のインクジェット記録ヘッドを個別にキャッピングするキャッピング機構を備え、前記印刷待機状態では前記キャッピング機構により当該インクジェット記録ヘッドのキャッピングを行う。本発明により、記録を行う必要のないインクジェット記録ヘッドについてはキャッピング状態を維持することができるので、インク吐出口の大気への曝露による無駄なインク乾燥が防止される。
【００１４】
記録を行う必要があるか否かは、情報処理装置から転送された印刷データに基づいて、印刷装置側で判断するか、また、情報処理装置側で判断する。情報処理装置側で判断する場合、情報処理装置から記録を行う必要のない記録ヘッドの存在を印刷装置へ通知するとともに当該記録ヘッドへの印刷データの転送を省略することが好ましい。あるいは、情報処理装置から、記録を行う必要のない記録ヘッドに対する記録抑止命令を印刷装置へ転送するとともに当該記録ヘッドへの印刷データの転送を省略することが好ましい。これにより、印刷データの転送時間が短縮されるため、印刷指示から印刷開始までの移行時間が短縮される。
【発明の効果】
【００１５】
本発明によれば、記録を行う必要のない記録ヘッドを印刷可能状態に移行させないことによって、記録ヘッドの大気への曝露によるインク乾燥を防止し、記録ヘッドへの負担を軽減することができる。
【００１６】
また、他の発明によれば、記録を行う必要のない記録ヘッドへの印刷データの転送を省略することにより、印刷指示から印刷開始までに要する時間を短縮することができる。
【発明を実施するための最良の形態】
【００１７】
以下、本発明の好適な実施の形態について図面を参照しながら詳細に説明する。
【００１８】
図１は、本実施の形態に係る印刷システムの概略構成を示している。この印刷システムは、印刷データを生成する情報処理装置であるパーソナルコンピュータ（ＰＣ）１００と、このＰＣ１００からの指示に従って印刷データを印刷処理する印刷装置２００とにより構成される。
【００１９】
ＰＣ１００は、通信インターフェース１５０を介して、印刷装置１０２に接続されている。この通信インターフェース１５０としては、ネットワークケーブル、ＵＳＢケーブル、ＩＥＥＥ１２８４、ＩＥＥＥ１３９４等が利用できる。本実施の形態では、ＵＳＢケーブルを使用して印刷装置２００に印刷データを送信する。ＰＣ１００は、画像生成後、印刷データを印刷装置１０２に送信し、印刷装置のステータス監視を行う。
【００２０】
図２は図１に示したＰＣ１００の内部構成例を示している。ＰＣ１００は、本実施の形態では、オペレーティングシステムの制御下において、画像データを生成するアプリケーション（プログラム）や印刷制御プログラム（プリンタドライバ）等を実行する。本例においては、オペレーティングシステムとして「Windowｓ（登録商標）」を用いる。具体的には、ＰＣ１００は、ＰＣ１００の各種制御を行う制御部を構成するＣＰＵ（Central Processing Unit）１０２と、このＣＰＵ１０２用の作業領域および一時記憶領域を提供するメモリであるＲＡＭ（Random Access Memory）１０３と、ＣＰＵ１０２が初期的に実行するブートプログラム等を格納する不揮発性メモリであるＲＯＭ（Read Only Memory）１０４とはシステムバス１０９を介して相互に接続されている。表示装置であるディスプレイ１１０はビデオインタフェース１０８を介してシステムバス１０９に接続されている。ポインティングデバイスの一種であるマウス１１１は、マウスインタフェース１０５を介してシステムバス１０９に接続されている。オペレーティングシステムや各種プログラムが格納されている大容量の外部記憶装置であるハードディスク装置１１３は、ハードディスクインタフェース１０７を介してシステムバス１０９に接続されている。また、システムバス１０９はプリンタインタフェース１０１（上述した１５０に対応）を介して印刷装置２００に接続される。
【００２１】
ＰＣ１００において、印刷装置２００を制御する場合は、ハードディスク装置１１３に格納されているプログラムがＲＡＭ１０３にロードされてＣＰＵ１０２によって実行される。
【００２２】
図３に、図１の印刷装置２００の構成例を示す。また、ＰＣ１００を併せて示す。
【００２３】
ＣＰＵ２１０はこの印刷装置２００の全体の動作を制御する制御部を構成し、バスを介してメモリコントローラ２１２、インタフェースコントローラ２１３、プログラムＲＯＭ２１４、ワークＲＡＭ２１５、ＥＥＰＲＯＭ２１６、記録ヘッド制御回路２１９、Ｉ／Ｏポート２２１と接続されている。
【００２４】
メモリコントローラ２１２は、印刷データを格納するメモリであるＶＲＡＭ２１１に接続され、ＣＰＵ２１０の制御下でＶＲＡＭ２１１への印刷データの書き込みを行うとともに、同期化回路２１７からの出力信号に同期してＶＲＡＭ２１１からの読み出しを行う。同期化回路２１７は、媒体搬送装置２１８での記録媒体の搬送状態に同期してメモリコントローラ２１２への信号を生成する機能を有する。
【００２５】
インタフェースコントローラ２１３は、ＣＰＵ２１０の制御下で、ＰＣと通信インタフェース（図ではＵＳＢの例）を介してデータ通信を行う部位である。
【００２６】
プログラムＲＯＭ２１４は、この印刷装置２００の動作を実現するためのコンピュータプログラムを格納した不揮発性のメモリである。ワークＲＡＭ２１５は、ＣＰＵ２１０により利用されるワーク領域やデータの一時記憶領域を提供する読み書き可能なメモリである。ＥＥＰＲＯＭ２１６は、再書き込み可能な不揮発性のメモリであり、例えばユーザの設定データなどを不揮発的に記録するために利用される。
【００２７】
記録ヘッド制御回路２１９ａ〜２１９ｄは、ＣＰＵ２１０の制御下で、メモリコントローラ２１２からの印刷データを受信し、４組の記録ヘッド２２０ａ〜２２０ｄに対して、それぞれ別部分の印刷データを転送する。この例では４組の記録ヘッド２２０ａ〜２２０ｄを記録媒体の幅方向に並べた構成を採用した例を示す。１組の記録ヘッド２２０はＣＭＹＫの各色の記録ヘッドを有する。
【００２８】
Ｉ／Ｏポート２２１は、ＣＰＵ２１０の制御下で、モータ駆動部２２２に制御信号を与えて、キャッピングモータ２２３やポンプモータ２２４のような外部の出力装置を制御する。キャッピングモータ２２３は、不使用時に記録ヘッド２２０にキャップをしてインクの乾燥を防ぐためのキャッピング機構（キャッピング手段）２２５を駆動する動力源である。本実施の形態でのキャッピングは、各印刷装置の全記録ヘッド単位に行われるものを想定している。ポンプモータ２２４は記録ヘッド中のインクに圧力を掛けて記録ヘッドの回復動作等を行うポンプ２２６を駆動するための動力源である。キャッピングモータ２２３、キャッピング機構２２５、ポンプモータ２２４、ポンプ２２６も記録ヘッドの組数（本例では４組）分設けられる。
【００２９】
図４は、本実施の形態における複数組の記録ヘッド２２０ａ〜２２０ｄの構成例を示している。図４（ａ）は記録媒体Ｐの印刷面から見た平面図であり、図４（ｂ）は４組の記録ヘッド２２０ａ〜２２０ｄを記録媒体Ｐの搬送方向の下流から見た図である。
【００３０】
前述のように本実施の形態では、４組の記録ヘッド２２０ａ〜２２０ｄを記録媒体の幅方向に並べて、異なる幅部分を分担して記録媒体Ｐへの印刷を行う。記録媒体の幅方向に並べる際には、必ずしも一直線状に並べる必要はなく、隣接する記録ヘッドの端部の数ドットが相互に重なるように千鳥状に配置してもよい。端部のどのノズルまでを有効にするかは予め定めておくことにより、隣接する記録ヘッドの境界において画像に空白が生じないように制御することができる。４組の記録ヘッド２２０ａ〜２２０ｄは、上述したキャッピング機構の作用により、待機位置４２１と印刷可能位置４２２の異なる位置に移動するように構成されている。待機位置４２１では組単位にキャッピングが行われ、インク吐出口が空気に曝されるのが防止される。
【００３１】
１枚の記録媒体に対する印刷画像４０１はすべての記録ヘッド２２０ａ〜２２０ｄの記録範囲に跨って存在するとは限らない。図４（ａ）の例では、記録ヘッド２２０ｂと２２０ｃの部分にのみ画像（記録ドット：ＯＮドット）が存在している。このように画像が存在しない（インク吐出を必要とするデータが存在しない）記録ヘッド２２０（１組の記録ヘッド）については、印刷可能位置４２２へは移行させず待機位置４２１に保持したままとする。
【００３２】
図５に、本実施の形態の印刷システムにおけるＰＣ１００および印刷装置２００における関連するソフトウェア構成を示す。
【００３３】
ＰＣ１００は、印刷画像デザインアプリケーション３０１を用いて印刷対象の画像を作成し、この作成された画像を、印刷制御プログラム３０２により印刷データに変換して印刷装置２００へ送信する。（但し、印刷対象の画像は外部で作成されたものがＰＣ１００に取り込まれたものであってもよい。）より具体的には印刷制御プログラム３０２は、作成した印刷データを４組の記録ヘッド用に分割して圧縮して印刷装置２００に転送する。印刷データの圧縮方式としては例えば“ＰａｃｋＢｉｔｓ”という符号化が用いられる。印刷装置２００に転送する印刷データには、印刷装置に対する命令および画像（ＣＭＹＫ）データを記述している。
【００３４】
印刷装置２００は、ＰＣ１００から受信した印刷データを、印刷制御プログラム３１２を用いて解凍し、データの中身を解読して印刷動作を行う。この際、印刷制御プログラム３１２はＰＣ１００から受信した印刷データに基づいて、記録動作を行う必要のない記録ヘッドの組の有無を判断し、記録動作を行う必要のある記録ヘッドの組のみを印刷可能状態へ移行させる。「記録動作を行う必要がない」とは、印刷データが全ドットについて非記録ドットを指示している場合の他、画像サイズの外側で印刷データ自体が存在しない場合も含む。印刷装置２００は、また、現在の状態を表すステータス情報をＰＣ１００に転送する。
【００３５】
図６に、ＰＣ１００で印刷データを生成してから印刷装置２００が印刷を終了するまでの処理を表したフローチャートを示す。ＰＣ１００の処理は、ハードディスク装置１１３内に格納されている印刷制御プログラム３０２がＲＡＭ１０３に転送され、ＣＰＵ１０２がこれを読み出して解釈実行することにより実現される。印刷装置２００の処理は、プログラムＲＯＭ２１４に格納されている印刷制御プログラム３１２を、ＣＰＵ２１０が解釈実行することにより実現される。後述する他のフローチャートの処理についても同様である。
【００３６】
ＰＣ１００は、ユーザによる印刷指示を受けると、ＰＣ１００上の印刷制御プログラム３０２が印刷データ生成する（Ｓ１１）。印刷データ生成が終了すると、印刷装置２００へ印刷データを転送する（Ｓ１２）。
【００３７】
印刷装置２００は、ＰＣ１００から転送された印刷データに基づいて、記録を行う必要のない記録ヘッドの組の有無を判断する（Ｓ１３）。記録を行う必要があるか否かは、記録ヘッドの組毎に、いずれかの色の記録ヘッドからインク吐出するＯＮドットのデータが存在するか否かにより判断することができる。記録を行う必要のない記録ヘッドの組が存在しない場合、全組の記録ヘッドを印刷可能状態へ移行させる（Ｓ１４）。記録を行う必要のない記録ヘッドの組が存在する場合は、記録を行う必要のある記録ヘッドの組のみを印刷可能状態へ移行させる（Ｓ１５）。その後、印刷可能状態にある記録ヘッドの組で記録動作を行い（Ｓ１６）、印刷終了となる。
【００３８】
図６の処理によれば、記録を行う必要のない記録ヘッドの組についてはキャッピング状態が維持されるため、不必要にインクを乾燥させることを防止することができる。
【００３９】
図７は、図６の処理に代わる他の処理を表したフローチャートである。図６の処理では、記録を行う必要の有無に関わらずＰＣ１００から印刷装置２００へ印刷データが転送された。（すなわち、記録を行う必要がない記録ヘッドにも非記録ドットの印刷データが転送された。）
【００４０】
これに対して、図７の処理では、ＰＣ１００で印刷データを生成した後（Ｓ２１）、印刷データを印刷装置へ転送する前に、記録を行う必要がない記録ヘッドの組をＰＣ１００側で認識する（Ｓ２２）。記録を行う必要がない記録ヘッドの組が存在した場合には、その記録ヘッドの組を指定する情報とともに、印刷データを印刷装置へ転送する（Ｓ２３）。記録を行う必要がない記録ヘッドの組については印刷データを転送する必要はない。
【００４１】
印刷装置２００では、印刷データとともに記録を行う必要のない記録ヘッドの組を指定する情報を受信した場合には（Ｓ２４，Ｙｅｓ）、全ての記録ヘッドの組を印刷可能な状態に移行させる（Ｓ２５）。記録を行う必要のない記録ヘッドの組を指定する情報を受信した場合には、その記録を行う必要のある記録ヘッドの組のみを印刷可能状態へ移行させる（Ｓ２６）。その後、記録ヘッドによる記録を行って（Ｓ２７）、印刷処理を終了する。
【００４２】
図７の処理によれば、図６の処理と同様、不必要にインクを乾燥させることを防止することができるのみならず、記録を行う必要のない記録ヘッドの組については全色の印刷データの転送が省略されるので、転送される印刷データの総量を低減することができ、印刷指示から開始までに要する時間が短縮される。
【００４３】
図８は、図６の処理に代わるさらに他の処理を表したフローチャートである。この処理は図７の処理と同様、ＰＣ１００で印刷データを生成した後（Ｓ３１）、印刷データを印刷装置へ転送する前に、記録を行う必要がない記録ヘッドの組をＰＣ１００側で認識する（Ｓ３２）。ＰＣ１００では記録を行う必要のない記録ヘッドの組に対して、その情報を送信する代わりに、当該記録ヘッドの組に対して記録を抑止する命令（以下、記録抑止命令という）を生成する（Ｓ３３）。その後、記録を抑止する命令（あれば）と共に、印刷データを印刷装置へ転送する（Ｓ３４）。この場合も、記録を行う必要がない記録ヘッドの組については印刷データを転送する必要はない。
【００４４】
印刷装置２００では、印刷データとともに記録抑止命令を受信しなかった場合には（Ｓ３５，Ｙｅｓ）、全ての記録ヘッドの組を印刷可能な状態に移行させる（Ｓ３６）。いずれかの記録ヘッドの組に対して記録抑止命令を受信した場合には、当該記録ヘッドの組についてはその命令に従って記録を抑止し、記録を行う必要のある記録ヘッドの組のみを印刷可能状態へ移行させる（Ｓ３７）。その後、記録ヘッドによる記録を行って（Ｓ３８）、印刷処理を終了する。
【００４５】
図８の処理においても、図７の処理と同様、不必要にインクを乾燥させることを防止するとともに、転送される印刷データの総量を低減して印刷指示から開始までに要する時間を短縮することができる。
【００４６】
以上、本発明の好適な実施の形態について説明したが、上記で言及した以外にも種々の変形、変更を行うことが可能である。
【００４７】
例えば、各組の記録ヘッドは、自己が印刷を分担する画像が全く存在しない場合にこのような制御を行うだけでなく、記録媒体搬送方向に所定長さ以上に無記録状態が続く場合に、その期間は待機位置４２１に待機するよう構成することも可能である。そのような所定長さは、１枚の記録媒体の最初の記録ドットを記録するまでの部分、一旦記録を開始した後、最後の記録ドットを記録した後の部分で異ならせてもよい。印刷可能状態への移行には既知の所定時間を要するため、記録開始前にその所定時間分以上先行して印刷可能状態へ移行させるようにする。
【００４８】
記録媒体の幅方向に並べる記録ヘッドの組は４組の例を示したが、これに限るものではなく、もっと多くてもあるいは少なくてもよい。また、１組の記録ヘッドはＣＭＹＫの４色としたが、さらに多くてもあるいは少なくてもよい。
【００４９】
ＣＭＹＫの一組の記録ヘッド単位にキャッピングを行うようにしたが、ＣＭＹＫ等の各色の個々の記録ヘッド単位にキャッピングを行えるようにしてもよい。この場合には、記録を行う必要の有無の判断は記録ヘッドの組単位ではなく個々の記録ヘッド単位で行う。また、この場合、幅方向に記録ヘッドを並べる必要はない。
【００５０】
複数組の記録ヘッドは１台の印刷装置に属するものとして説明したが、複数の印刷装置を用いて１枚の記録媒体への印刷を行う印刷システムにも本発明を適用可能である。
【図面の簡単な説明】
【００５１】
【図１】本発明の実施の形態に係る印刷システムの概略構成を示す図である。
【図２】図１に示したＰＣの内部構成例を示すブロック図である。
【図３】図１に示した印刷装置の構成例を示すブロック図である。
【図４】本発明の実施の形態における複数組の記録ヘッドの構成例を示す図である。
【図５】本発明の実施の形態の印刷システムにおけるＰＣおよび印刷装置における関連するソフトウェア構成を示す図である。
【図６】本発明の実施の形態においてＰＣで印刷データを生成してから印刷装置が印刷を終了するまでの処理を表したフローチャートである。
【図７】図６の処理に代わる他の処理を表したフローチャートである。
【図８】図６の処理に代わるさらに他の処理を表したフローチャートである。
【符号の説明】
【００５２】
１０１…プリンタインタフェース
１０２…印刷装置
１０５…マウスインタフェース
１０７…ハードディスクインタフェース
１０８…ビデオインタフェース
１０９…システムバス
１１０…ディスプレイ
１１１…マウス
１１３…ハードディスク装置
１５０…通信インターフェース
２００…印刷装置
２１２…メモリコントローラ
２１３…インタフェースコントローラ
２１４…プログラムＲＯＭ
２１５…ワークＲＡＭ
２１７…同期化回路
２１８…媒体搬送装置
２１９…記録ヘッド制御回路
２２０、２２０ａ〜２２０ｄ…記録ヘッド
２２１…Ｉ／Ｏポート
２２２…モータ駆動部
２２３…キャッピングモータ
２２４…ポンプモータ
２２５…キャッピング機構
２２６…ポンプ
３０１…印刷画像デザインアプリケーション
３０２…印刷制御プログラム
３１２…印刷制御プログラム
４０１…印刷画像
４２１…待機位置
４２２…印刷可能位置
Ｐ…記録媒体
【図１】
2007130939.tif 000003
【図２】
2007130939.tif 000004
【図３】
2007130939.tif 000005
【図４】
2007130939.tif 000006
【図５】
2007130939.tif 000007
【図６】
2007130939.tif 000008
【図７】
2007130939.tif 000009
【図８】
2007130939.tif 000010